(57)【要約】【課題】スクリーン洗浄機能を向上させても脱水機能が低下しないようにするとともに、湿分持ち出しによる乾燥効果を加え、さらに、水源確保ができない場所にも設置することができる汚泥脱水機を提供すること。【解決手段】円筒型スクリーン１を回転させ、円筒型スクリーン１内に投入した汚泥Ａを遠心力によりろ過して脱水する汚泥脱水機において、円筒型スクリーン１のスクリーン２の外側に、スクリーン２に圧搾エアを吹き付けて洗浄するエアノズル３を設置する。【選択図】図１
2009165918.tif 000002
【特許請求の範囲】
【請求項１】
円筒型スクリーンを回転させ、該円筒型スクリーン内に投入した汚泥をろ過して脱水する汚泥脱水機において、円筒型スクリーンのスクリーンの外側に、該スクリーンに圧搾エアを吹き付けて洗浄するエアノズルを設置したことを特徴とする汚泥脱水機。
【請求項２】
エアノズルのノズル径を０．５〜５ｍｍとするとともに、ノズル先端とスクリーンを、ほぼ接する状態から１００ｍｍの距離としたことを特徴とする請求項１記載の汚泥脱水機。
【発明の詳細な説明】
【技術分野】
【０００１】
本発明は、下水処理分野や食品産業分野等で使用される汚泥脱水機に関し、特に、スクリーン洗浄機能を向上させても脱水機能が低下しないようにするとともに、湿分持ち出しによる乾燥効果を加え、さらに、水源確保ができない場所にも設置することができる汚泥脱水機に関するものである。
【背景技術】
【０００２】
下水処理分野や食品産業分野にて発生する汚泥は、多量の水分を含んでいるため、汚泥脱水機により脱水処理を受ける。
汚泥脱水機は、図２に示すように、例えば、縦置の円筒型スクリーン１を高速回転させ、該円筒型スクリーン１内に投入した汚泥Ａを遠心力によりろ過して脱水するようにしている。
【０００３】
円筒型スクリーン１は、有底筒状の容器の周面に、多数の丸孔を設けた多孔板等からなる所定目幅のスクリーン２を配設したものからなり、回転軸４１を介して駆動モータ４により高速で回転する。
円筒型スクリーン１の周囲には、脱離液Ｂを回収するケーシング（図示省略）が設置されており、スクリーン２を通過して回収された脱離液Ｂは、ケーシングの脱離液管から排出される。
円筒型スクリーン１のスクリーン２の外側には、汚泥Ａによるスクリーン２の目詰まりを防止するために、ポンプ５１によりスクリーン２に洗浄水Ｗを噴射する洗浄水ノズル５が設置されている。
【０００４】
ところで、このような従来の汚泥脱水機は、スクリーン洗浄の際に水を使用するため、この洗浄水量と脱水性能がトレードオフの関係となり、スクリーン洗浄を優先させると脱水ケーキの含水率が増加し、逆に脱水ケーキの含水率を優先させるとスクリーンの洗浄力が低下するという問題があった。
また、水洗浄を実施するためには水源を確保する必要があり、水源の確保が困難な場所では、脱水機の設置自体が困難になるという問題があった。
【発明の開示】
【発明が解決しようとする課題】
【０００５】
本発明は、上記従来の汚泥脱水機が有する問題点に鑑み、スクリーン洗浄機能を向上させても脱水機能が低下しないようにするとともに、湿分持ち出しによる乾燥効果を加え、さらに、水源確保ができない場所にも設置することができる汚泥脱水機を提供することを目的とする。
【課題を解決するための手段】
【０００６】
上記目的を達成するため、本発明の汚泥脱水機は、円筒型スクリーンを回転させ、該円筒型スクリーン内に投入した汚泥をろ過して脱水する汚泥脱水機において、円筒型スクリーンのスクリーンの外側に、該スクリーンに圧搾エアを吹き付けて洗浄するエアノズルを設置したことを特徴とする。
【０００７】
この場合において、エアノズルのノズル径を０．５〜５ｍｍとするとともに、ノズル先端とスクリーンを、ほぼ接する状態から１００ｍｍの距離とすることができる。
【発明の効果】
【０００８】
本発明の汚泥脱水機によれば、円筒型スクリーンを回転させ、該円筒型スクリーン内に投入した汚泥をろ過して脱水する汚泥脱水機において、円筒型スクリーンのスクリーンの外側に、該スクリーンに圧搾エアを吹き付けて洗浄するエアノズルを設置することから、従来ネックであったスクリーン洗浄機能と脱水機能のトレードオフの関係を解消し、スクリーン洗浄機能を向上させても脱水機能が低下しないようにするとともに、圧搾エアを吹き付けることにより、従来の水洗浄方式ではなかった湿分持ち出しによる乾燥効果が加わるため、特にエア流量を上昇させることで、脱水機能を従来とは異なり向上させることができ、さらに、水源を必要としないため、水源が確保できずに脱水機が設置できなった場所にも適用できるようになる。
【０００９】
また、エアノズルのノズル径を０．５〜５ｍｍとするとともに、ノズル先端とスクリーンを、ほぼ接する状態から１００ｍｍの距離とすることにより、エア速度の減衰と圧搾エアの拡散とを防止することができる。
【発明を実施するための最良の形態】
【００１０】
以下、本発明の汚泥脱水機の実施の形態を、図面に基づいて説明する。
【実施例１】
【００１１】
図１に、本発明の汚泥脱水機の一実施例を示す。
この汚泥脱水機は、縦置の円筒型スクリーン１を回転させ、該円筒型スクリーン１内に投入した汚泥Ａを遠心力によりろ過して脱水するものであり、円筒型スクリーン１のスクリーン２の外側に、該スクリーン２に圧搾エアを吹き付けて洗浄するエアノズル３を設置している。
【００１２】
円筒型スクリーン１は、有底筒状の容器の周面に、多数の丸孔を設けた多孔板等からなる所定目幅のスクリーン２を配設したものからなり、回転軸４１を介して駆動モータ４により高速で回転する。
円筒型スクリーン１の周囲には、脱離液Ｂを回収するケーシング（図示省略）が設置されており、スクリーン２を通過して回収された脱離液Ｂは、ケーシングの脱離液管から排出される。
【００１３】
エアノズル３は、円筒型スクリーン１のスクリーン２の外側に配設された複数のものからなり、各エアノズル３は、円筒型スクリーン１の軸方向に直線上に一定間隔で配設されている。
本実施例では、エアノズル３のノズル径Ｄを５ｍｍ程度、好適には０．５〜５ｍｍの範囲とするとともに、エアノズル３のノズル先端とスクリーン２との距離Ｌを１００ｍｍ以下、好適には、エアノズル３のノズル先端とスクリーン２を、ほぼ接する状態から１００ｍｍの距離とするようにしている。
この場合、エアノズル３のノズル径Ｄと、エアノズル３のノズル先端とスクリーン２との距離Ｌとの関係が、ノズル径Ｄを小さくするほど、エアノズル３のノズル先端とスクリーン２との距離Ｌを小さくするように設定するようにすることが好ましい。
なお、エアノズル３には、コンプレッサ３１から圧搾エア（特に限定されるものではないが、例えば、０．０１〜０．３ＭＰａ程度の圧搾エア）が一定圧力で連続的に供給されるが、コンプレッサ３１は、圧搾エアの流量を適宜増大してエアノズル３に供給することもできる。
【００１４】
本実施例の汚泥脱水機は、スクリーン洗浄にエアノズル３を用いることによって、水を使用せず、効果的にスクリーン２から汚泥Ａを剥ぎ取ることにより、脱水ケーキの含水率の増加を防止することができる。
なお、エアノズル３については、ノズル径Ｄと設置方法に注意する必要があり、まずノズル径Ｄは、エア速度の減衰を防止するために可能な限り大きい方が望ましく、実際には０．５〜５ｍｍ程度の径とする必要がある。
また、エアノズル３の設置については、エア速度の減衰のほか、圧搾エアの拡散を防止するために可能な限りスクリーン２の直近に設置し、エア速度の減衰を防止する必要がある。
ちなみに、ノズル径Ｄが５ｍｍの場合、ノズル先端から約１００ｍｍ程度まではエア速度は減衰しない。
【００１５】
また、エア供給におけるエアノズル３までの直前圧力は０．３ＭＰａ以下でよく、これ以上の圧力を負荷しても圧搾エアが臨界速度に達するため無意味である。
なお、圧搾エアの臨界速度については概ね３００ｍ／ｓ程度である（０．０１ＭＰａでは１００ｍ／ｓ程度である）。
また、水は使用していないため、水源は必要ない。このため、水源の確保が困難な箇所においても容易に設置が可能となる。
【００１６】
かくして、本実施例の汚泥脱水機は、円筒型スクリーン１を回転させ、該円筒型スクリーン１内に投入した汚泥Ａをろ過して脱水する汚泥脱水機において、円筒型スクリーン１のスクリーン２の外側に、該スクリーン２に圧搾エアを吹き付けて洗浄するエアノズル３を設置することから、従来ネックであったスクリーン洗浄機能と脱水機能のトレードオフの関係を解消し、スクリーン洗浄機能を向上させても脱水機能が低下しないようにするとともに、圧搾エアを吹き付けることにより、従来の水洗浄方式ではなかった湿分持ち出しによる乾燥効果が加わるため、特にエア流量を上昇させることで、脱水機能を従来とは異なり向上させることができ、さらに、水源を必要としないため、水源が確保できずに脱水機が設置できなった場所にも適用できるようになる。
【００１７】
また、エアノズル３のノズル径を０．５〜５ｍｍとするとともに、ノズル先端とスクリーン２を、ほぼ接する状態から１００ｍｍの距離とすることにより、エア速度の減衰と圧搾エアの拡散とを防止することができる。
【００１８】
以上、本発明の汚泥脱水機について、その実施例に基づいて説明したが、本発明は上記実施例に記載した構成に限定されるものではなく、その趣旨を逸脱しない範囲において適宜その構成を変更することができる。
例えば、本実施例では縦型の脱水機を例に説明したが、本発明の構成は、円筒型スクリーンの回転軸が水平に設置されている横型の汚泥脱水機においても同様に適用することができる。
【産業上の利用可能性】
【００１９】
本発明の汚泥脱水機は、スクリーン洗浄機能を向上させても脱水機能が低下しないようにするとともに、湿分持ち出しによる乾燥効果を加え、さらに、水源確保ができない場所にも設置できるという特性を有していることから、例えば、下水処理分野や食品産業分野等で使用される汚泥脱水機として広く好適に用いることができる。
【図面の簡単な説明】
【００２０】
【図１】本発明の汚泥脱水機の一実施例を示す断面図である。
【図２】従来の汚泥脱水機を示す断面図である。
【符号の説明】
【００２１】
１    円筒型スクリーン
２    スクリーン
３    エアノズル
４    駆動モータ
４１  回転軸
Ａ    汚泥
Ｂ    脱離液
【図１】
2009165918.tif 000003
【図２】
2009165918.tif 000004